(57)【要約】【課題】調理中も空気浄化運転を行うことができるレンジフードを提供することを目的とする。【解決手段】排気ファン７と、吸込口６と、排出口９と、を有するフード本体１と、循環取入口１０と、循環吐出口１１と、イオン発生部１２と、循環ファン１３と、を有する循環ボックス２と、排気ファン７および循環ファン１３の運転を制御する制御部と、を備え、循環ボックス２は、フード本体１に取り付けられ、循環ファン１３は、循環取入口１０から吸い込んだ空気を循環吐出口１１から室内に供給し、制御部は、排気ファン７により吸込口６から吸い込んだ空気を排出口９から排気する通常運転モードと、イオン発生部１２により発生したイオンを循環ファン１３により送風される空気に混流するイオン運転モードと、を有する。【選択図】図１
2020101305.tif 000002
【特許請求の範囲】
【請求項１】
排気ファンと、吸込口と、排出口と、を有するフード本体と、
循環取入口と、循環吐出口と、イオン発生部と、循環ファンと、を有する循環ボックスと、
前記排気ファンおよび前記循環ファンの運転を制御する制御部と、を備え、
前記循環ボックスは、前記フード本体に取り付けられ、
前記循環ファンは、前記循環取入口から吸い込んだ空気を前記循環吐出口から室内に供給し、
前記制御部は、
前記排気ファンにより前記吸込口から吸い込んだ空気を前記排出口から排気する通常運転モードと、
前記イオン発生部により発生したイオンを前記循環ファンにより送風される空気に混流するイオン運転モードと、を有することを特徴とするレンジフード。
【請求項２】
排気ファンと、吸込口と、排出口と、を有するフード本体と、
給気口と、給気ファンと、給気吐出口と、イオン発生部と、を有する給気ボックスと、
前記排気ファンおよび前記給気ファンの運転を制御する制御部と、を備え、
前記給気ボックスは、前記フード本体に取り付けられ、
前記給気ファンは、前記給気口から吸い込んだ外気を前記給気吐出口から室内に供給し、
前記制御部は、
前記排気ファンにより前記吸込口から吸い込んだ空気を前記排出口から排気する通常運転モードと、
前記イオン発生部により発生したイオンを前記給気ファンにより送風される空気に混流するイオン運転モードを有することを特徴とするレンジフード。
【請求項３】
前記フード本体と前記循環ボックスとが別体であることを特徴とする請求項１に記載のレンジフード。
【請求項４】
前記フード本体と前記給気ボックスとが別体であることを特徴とする請求項２に記載のレンジフード。
【請求項５】
前記吸込口は、前記フード本体の下面に設けられ、
前記循環ボックスは、前記フード本体の上部に取り付けられ、
前記循環ボックスは、前記フード本体と接続される面である底面と、前記底面と対向する面である天面と、を備え、
前記循環取入口および前記循環吐出口は、前記天面および前記底面と隣接する側面における天面側端部近傍に設けられることを特徴とする請求項１または３に記載のレンジフード。
【請求項６】
前記制御部は、前記通常運転モード終了後に前記イオン運転モードを行うことを特徴とする請求項１〜５のいずれか１項に記載のレンジフード。
【発明の詳細な説明】
【技術分野】
【０００１】
本発明は、吸い込んだ空気を排出するレンジフードに関するものである。
【背景技術】
【０００２】
従来、この種のレンジフードは、レンジフードと空気浄化機能を持つ部分が一体構造のものが知られている（例えば、特許文献１参照）。
【０００３】
以下、その構成について図６を参照しながら説明する。
【０００４】
図６に示すように、加熱調理器１０１の上方に設置され、室内の空気を吸込む吸込口１０２と、屋外に連通した吐出口１０３と、吸込口１０２と吐出口１０３を結ぶ排気風路１０４内に備えて空気を吸込み排気する排気ファン１０５と、排気ファン１０５を駆動する排気モータ１０６と、室内へ空気を吹出す吹出口１０７と、吹出口１０７と吸込口１０２を結ぶ循環風路１０８内に備えて空気を吸込み室内空気を循環する循環ファン１０９およびナノサイズの帯電微粒子水を発生させる静電霧化装置１１０と、循環ファン１０９を駆動する循環モータ１１１とを備えている。
【先行技術文献】
【特許文献】
【０００５】
【特許文献１】特開２０１１−８９７３９号公報
【発明の概要】
【発明が解決しようとする課題】
【０００６】
このような従来のレンジフードにおいては、排気風路１０４と循環風路１０８の空気の吸込口が同じであることにより、排気運転中には循環運転はできず、調理が終わり排気運転が終わるまでは空気浄化を行うことができない、という課題を有していた。
【０００７】
そこで本発明は、上記従来の課題を解決するものであり、レンジフードと吸込口を別に設ける構成とし、調理中も空気浄化運転を行うことができるレンジフードを提供することを目的とする。
【課題を解決するための手段】
【０００８】
そして、この目的を達成するために、本発明の一態様に係るレンジフードは、排気ファンと、吸込口と、排出口と、を有するフード本体と、循環取入口と、循環吐出口と、イオン発生部と、循環ファンと、を有する循環ボックスと、前記排気ファンおよび前記循環ファンの運転を制御する制御部と、を備え、前記循環ボックスは、前記フード本体に取り付けられ、前記循環ファンは、前記循環取入口から吸い込んだ空気を前記循環吐出口から室内に供給し、前記制御部は、前記排気ファンにより前記吸込口から吸い込んだ空気を前記排出口から排気する通常運転モードと、前記イオン発生部により発生したイオンを前記循環ファンにより送風される空気に混流するイオン運転モードと、を有することを特徴とするレンジフードとしたものであり、これにより所期の目的を達成するものである。
【発明の効果】
【０００９】
本発明によれば、イオン発生装置を用いて、調理中も空気浄化運転を行うことができることとなるので、調理によって発生したにおいが室内に充満することを抑制するという効果を得ることができる。
【図面の簡単な説明】
【００１０】
【図１】本発明の実施の形態１のレンジフードの断面図
【図２】同レンジフードの斜視図
【図３】本発明の実施の形態１の循環ボックスの分解図
【図４】本発明の実施の形態２のレンジフードの斜視図
【図５】本発明の実施の形態２の給気ボックスの分解図
【図６】（ａ）従来のレンジフードの正面図、（ｂ）同レンジフードの右側面から見た断面図
【発明を実施するための形態】
【００１１】
本発明の一態様に係るレンジフードは、排気ファンと、吸込口と、排出口と、を有するフード本体と、循環取入口と、循環吐出口と、イオン発生部と、循環ファンと、を有する循環ボックスと、前記排気ファンおよび前記循環ファンの運転を制御する制御部と、を備え、前記循環ボックスは、前記フード本体に取り付けられ、前記循環ファンは、前記循環取入口から吸い込んだ空気を前記循環吐出口から室内に供給し、前記制御部は、前記排気ファンにより前記吸込口から吸い込んだ空気を前記排出口から排気する通常運転モードと、前記イオン発生部により発生したイオンを前記循環ファンにより送風される空気に混流するイオン運転モードと、を有する。
【００１２】
この構成によれば、吸込口および排出口とは別に、循環取入口および循環吐出口が設けられる。また、イオン発生部により発生するイオンには、脱臭効果がある。そして、イオン運転モードにおいて、イオン発生装置で発生させたイオンを混流した空気を循環吐出口から室内に供給する。これにより、排気ファンの運転中も空気浄化運転（イオン運転モード）を行うことができることとなるので、調理中に発生したにおいが部屋中に充満することを抑制することができるという効果を奏する。
【００１３】
また、排気ファンと、吸込口と、排出口と、を有するフード本体と、給気口と、給気ファンと、給気吐出口と、イオン発生部と、を有する給気ボックスと、前記排気ファンおよび前記給気ファンの運転を制御する制御部と、を備え、前記給気ボックスは、前記フード本体に取り付けられ、前記給気ファンは、前記給気口から吸い込んだ外気を前記給気吐出口から室内に供給し、前記制御部は、前記排気ファンにより前記吸込口から吸い込んだ空気を前記排出口から排気する通常運転モードと、前記イオン発生部により発生したイオンを前記給気ファンにより送風される空気に混流するイオン運転モードを有する。
【００１４】
この構成によれば、吸込口および排出口とは別に、給気口および給気吐出口が設けられる。また、イオン運転モードにおいて、給気ボックスに取り入れた外気にイオンをのせて室内に供給することによって、より効率的ににおいを抑制することができる。これにより、調理中に発生したにおいが部屋中に充満することを抑制することができる。
【００１５】
また、前記フード本体と前記循環ボックスとが別体であるという構成にしてもよい。これにより、レンジフード単体でも、循環ボックスとの設置も可能となるので、レンジフード設置時に循環ボックスの設置・非設置を選択することができ、また既設のレンジフードに後から追加で設置することもできるという効果を奏する。
【００１６】
また、前記フード本体と前記給気ボックスとが別体であるという構成にしてもよい。これにより、レンジフード単体でも、給気ボックスとの設置も可能となるので、レンジフード設置時に給気ボックスの設置・非設置を選択することができ、また既設のレンジフードに後から追加で設置することもできるという効果を奏する。
【００１７】
また、前記吸込口は、前記フード本体の下面に設けられ、前記循環ボックスは、前記フード本体の上部に取り付けられ、前記循環ボックスは、前記フード本体と接続される面である底面と、前記底面と対向する面である天面と、を備え、前記循環取入口および前記循環吐出口は、前記天面および前記底面と隣接する側面における天面側端部近傍に設けられるという構成にしてもよい。これにより、フード本体の吸込口と循環ボックスの循環取入口は隔離され循環経路に油汚れなどが付着しづらくなるので、においの抑制効果が下がりにくくなるという効果を奏する。また、循環取入口および循環吐出口が天井近くに設けられることとなるので、排気ファンの運転の影響を受けにくくなる。
【００１８】
また、前記制御部は、前記通常運転モード終了後に前記イオン運転モードを行うという構成にしてもよい。これにより、調理後、自動でイオン運転を行うので、手動で操作することなく調理後のにおいを抑制するという効果を奏する。
【００１９】
以下、本発明の実施の形態について図面を参照しながら説明する。
【００２０】
（実施の形態１）
図１および図２に示すように、本実施の形態に係るレンジフードは、フード本体１と、循環ボックス２と、制御部（図示せず）と、を備える。
【００２１】
フード本体１は、フード部３と、ファンボックス４と、を備える。
【００２２】
フード部３は、整流板５と、吸込口６と、を備える。吸込口６は、フード本体１の下面に設けられる。整流板５は吸込口６を形成する。後述する排気ファン７により、汚染された空気が吸込口６から吸込まれる。
【００２３】
ファンボックス４は、排気ファン７と、排気ファンモータ８と、排出口９と、を備える。排気ファン７は、吸込口６から吸込まれた空気を排出口９から室外（例えば屋外）に排気する。
【００２４】
循環ボックス２は、循環取入口１０と、循環吐出口１１と、イオン発生部１２と、循環ファン１３と、を備える。循環ボックス２は、フード本体１に取り付けられる。具体的には、ファンボックス４の上部に取り付けられる。
【００２５】
図３に示すように、循環ボックス２は、取入ボックス１４と、吐出ボックス１５と、を備える。
【００２６】
取入ボックス１４は、循環ボックス２内に室内の汚染された空気を取り入れるための経路である。循環取入口１０は取入ボックス１４に設けられる。
【００２７】
吐出ボックス１５は、循環ボックス２内に空気を取り入れ、再び室内に放出するための循環ファン１３を備えている。循環吐出口１１は吐出ボックス１５に設けられる。
【００２８】
循環ファン１３の運転により、循環取入口１０から室内の空気を取り入れる。循環取入口１０から取入ボックス１４内に吸い込まれた空気は、吐出ボックス１５へと送風される。吐出ボックス１５へ送風された空気は循環吐出口１１から室内へ吐出される。幕板１６における循環取入口１０と循環吐出口１１に対応する位置に開口を設ける。
【００２９】
イオン発生部１２は、循環取入口１０から取り入れた空気にイオンを混流する。イオンを混流させた空気を循環吐出口１１から室内に供給することで、イオンの働きにより、室内のにおいを抑制する。イオン発生部１２は、循環ボックス２内において例えば使用者から離れた位置の壁面に設けられる。なお、イオン発生部１２は循環ボックス２内において効率よくイオンを混流させることができる位置に設けることとしてもよい。
【００３０】
循環ファン１３は、循環取入口１０から循環吐出口１１へ空気を流し室内の空気を循環させる。循環ファン１３は、循環ケーシング１７に内包される。循環ファン１３は、循環ファンモータ１８により回転し、オリフィス１９により空気の流れを整流し、循環ファン１３の運転効率をよくして騒音を低減する。
【００３１】
循環ファン１３により吸い込まれる空気は、循環ボックス２内部を通過する。排気ファン７により吸い込まれる空気は、フード本体１内部を通過する。すなわち、循環ファン１３により循環吐出口１１から吹き出される空気が通過する風路と、排気ファン７により排気される空気が通過する風路は別で設けられることとなる。
【００３２】
制御部は、排気ファン７および循環ファン１３の運転を制御する。制御部は、通常運転モードと、イオン運転モードと、を有する。通常運転モードは、排気ファン７により吸込口６から吸い込んだ空気を排出口９から排気するモードである。通常運転モードは、例えば調理器による調理中や残置運転中に、室内の空気を排気するモードである。イオン運転モード（空気浄化運転）は、イオン発生部１２により発生したイオンを循環ファン１３により送風される空気に混流するモードである。イオン運転モードにより、イオンをのせた空気を室内に放出することで、室内空気のにおい等を抑制する。
【００３３】
通常運転モードとイオン運転モードとの切り替えは、使用者によるスイッチ（図示せず）操作で行われる。
【００３４】
通常運転モードとイオン運転モードを同時に行う構成であってもよい。これにより、調理中に排気ファン７を運転させている状態であっても、イオン発生部１２によりにおいを抑制することができる。
【００３５】
また、制御部によって通常運転モード終了後にイオン運転モードへ自動的に移行するという構成であってもよい。これにより、調理時には通常運転モードで室内の空気を排気し、調理後にイオン運転モードで室内のにおいを抑制するという運転を効率よく行うことができる。
【００３６】
循環ボックス２は、フード本体１と接続される面である底面と、底面と対向する面である天面と、を備える。循環取入口１０および循環吐出口１１は、天面および底面と隣接する側面における天面側端部近傍に設けられてもよい。すなわち、循環取入口１０および循環吐出口１１は、循環ボックス２における幕板１６側側面の天井面近傍に設けられてもよい。これにより、調理で発生しレンジフードによって室外へ排気される油煙が直接循環ボックス２内に入りにくくなり、調理中に通常運転モードとイオン運転モードの両方を運転しても循環ボックス２内が汚染されにくく、イオン発生部１２の性能低下を低減することができる。
【００３７】
フード本体１と、循環ボックス２とは別体であってもよい。これにより、後付けが可能となる。
【００３８】
循環ボックス２にガスセンサを設け、室内空気のＣＯ２濃度を検知し、検知した濃度に応じてイオン運転モード（空気浄化運転）を行う構成であってもよい。これにより、必要なタイミングでイオン運転モードを行うことができる。
【００３９】
（実施の形態２）
図４および図５において、図１〜図３と同様の構成要素については同一の符号を付し、その詳細な説明は省略する。
【００４０】
図４および図５に示すように、本実施の形態に係るレンジフードは、フード本体１と、給気ボックス２０と、制御部（図示せず）と、を備える。
【００４１】
給気ボックス２０は、給気口２１と、給気ファン２２と、給気吐出口２３と、イオン発生部１２と、を備える。給気ボックス２０は、例えばファンボックス４の上部に取り付けられる。
【００４２】
給気口２１は例えば給気ボックス２０の天面に設けられ、屋外と連通する。給気ファン２２の運転により、給気口２１から外部の空気が給気ボックス２０内に吸い込まれる。給気吐出口２３は、給気口２１から取り入れた空気を室内へ吐出す。幕板１６における給気吐出口２３に対応する位置に開口を設ける。
【００４３】
イオン発生部１２は、給気口２１から取り入れた空気にイオンを混流する。イオン発生部１２は、給気ボックス２０内において例えば１番奥に設けられる。なお、イオン発生部１２は給気ボックス２０内において効率よくイオンを混流させることができる位置に設けることとしてもよい。
【００４４】
給気ファン２２により吸い込まれる空気は、給気ボックス２０内部を通過する。排気ファン７により吸い込まれる空気は、フード本体１内部を通過する。すなわち、給気ファン２２により給気口２１から吹き出される空気が通過する風路と、排気ファン７により排気される空気が通過する風路は別で設けられることとなる。
【００４５】
本実施の形態におけるイオン運転モードは、イオン発生部１２により発生したイオンを給気ファン２２により送風される空気に混流するモードである。
【００４６】
なお、給気ボックス２０とフード本体１は別体であってもよい。これにより、後付け可能となる。
【００４７】
以上、本発明に係るレンジフードについて、実施の形態に基づいて説明したが、本発明は、実施の形態に限定されるものではない。本発明の趣旨を逸脱しない限り、当業者が思いつく各種変形を本実施の形態に施したものも、異なる実施の形態における構成要素を組み合わせて構築される形態も、本発明の範囲内に含まれる。
【産業上の利用可能性】
【００４８】
本発明に係るレンジフードは、イオンによって室内空気のにおい抑制を可能とするものであるので、台所に使用される換気装置等として有用である。
【符号の説明】
【００４９】
１    フード本体
２    循環ボックス
３    フード部
４    ファンボックス
５    整流板
６    吸込口
７    排気ファン
８    排気ファンモータ
９    排出口
１０    循環取入口
１１    循環吐出口
１２    イオン発生部
１３    循環ファン
１４    取入ボックス
１５    吐出ボックス
１６    幕板
１７    循環ケーシング
１８    循環ファンモータ
１９    オリフィス
２０    給気ボックス
２１    給気口
２２    給気ファン
２３    給気吐出口
１０１    加熱調理器
１０２    吸込口
１０３    吐出口
１０４    排気風路
１０５    排気ファン
１０６    排気モータ
１０７    吹出口
１０８    循環風路
１０９    循環ファン
１１０    静電霧化装置
１１１    循環モータ
【図１】
2020101305.tif 000003
【図２】
2020101305.tif 000004
【図３】
2020101305.tif 000005
【図４】
2020101305.tif 000006
【図５】
2020101305.tif 000007
【図６】
2020101305.tif 000008